(57)【特許請求の範囲】
【請求項１】
ＣＤＭＡ通信システムでサービス基地局と移動局間に与えられた直交符号を用いて通信する時に前記サービス基地局と隣接した新たな基地局間のハンドオフ方法において、
前記新たな基地局が使用できる準直交符号を前記サービス基地局に知らせる過程と、
前記サービス基地局が前記準直交符号を前記移動局に知らせる過程と、
前記移動局がハンドオフ時に前記新たな基地局と前記準直交符号を用いて通信する過程とからなることを特徴とするハンドオフ方法。
【請求項２】
前記新たな基地局に使用できるウォールシュ直交符号がない時、前記準直交符号を前記サービス基地局に伝送することを特徴とする請求項１記載のハンドオフ方法。
【請求項３】
前記サービス基地局と移動局が基本チャネルを通して通信する場合、前記サービス基地局はハンドオフ指示メッセージのＣＯＤＥ＿ＣＨＡＮ＿ＦＣＨ及びＱＯＦ＿ＭＡＳＫ＿ＩＤ＿ＦＣＨを活性化して伝送することを特徴とする請求項１記載のハンドオフ方法。
【請求項４】
前記サービス基地局と移動局が専用制御チャネルを通して通信する場合、前記サービス基地局はハンドオフ指示メッセージのＣＯＤＥ＿ＣＨＡＮ＿ＤＣＣＨ及びＱＯＦ＿ＭＡＳＫ＿ＩＤ＿ＤＣＣＨを活性化して伝送することを特徴とする請求項１記載のハンドオフ方法。
【請求項５】
前記サービス基地局と移動局が専用制御チャネル及び基本チャネルを通して通信する場合、前記サービス基地局はハンドオフ指示メッセージのＣＯＤＥ＿ＣＨＡＮ＿ＦＣＨ、ＱＯＦ＿ＭＡＳＫ＿ＩＤ＿ＦＣＨ、ＣＯＤＥ＿ＣＨＡＮ＿ＤＣＣＨ及びＱＯＦ＿ＭＡＳＫ＿ＩＤ＿ＤＣＣＨを活性化して伝送することを特徴とする請求項１記載のハンドオフ方法。
【請求項６】
前記サービス基地局と移動局が専用制御チャネル及び付加チャネルを通して通信する場合、前記サービス基地局はハンドオフ指示メッセージのＣＯＤＥ＿ＣＨＡＮ＿ＳＣＨ及びＱＯＦ＿ＭＡＳＫ＿ＩＤ＿ＳＣＨを活性化して伝送することを特徴とする請求項１記載のハンドオフ方法。
【請求項７】
ウォールシュ直交符号と準直交符号を生成し、サービス基地局からハンドオフ指示メッセージを受信するＣＤＭＡ通信システムの移動局におけるハンドオフ方法において、
前記ハンドオフ指示メッセージの直交符号割当フィールドに準直交符号が割り当てられたかを検査する過程と、
前記準直交符号が割り当てられた場合、ハンドオフ時に前記準直交符号を用いて前記新たな基地局と通信する過程とからなることを特徴とするハンドオフ方法。
【請求項８】
前記移動局とサービス基地局が基本チャネルを通して通信する場合、前記サービス基地局はハンドオフ指示メッセージのＣＯＤＥ＿ＣＨＡＮ＿ＦＣＨ及びＱＯＦ＿ＭＡＳＫ＿ＩＤ＿ＦＣＨを活性化して伝送することを特徴とする請求項７記載のハンドオフ方法。
【請求項９】
前記移動局とサービス基地局が専用制御チャネルを通して通信する場合、前記サービス基地局はハンドオフ指示メッセージのＣＯＤＥ＿ＣＨＡＮ＿ＤＣＣＨ及びＱＯＦ＿ＭＡＳＫ＿ＩＤ＿ＤＣＣＨを活性化して伝送することを特徴とする請求項７記載のハンドオフ方法。
【請求項１０】
前記移動局とサービス基地局が基本チャネルと専用制御チャネルを通して通信する場合、前記サービス基地局はハンドオフ指示メッセージのＣＯＤＥ＿ＣＨＡＮ＿ＦＣＨ、ＱＯＦ＿ＭＡＳＫ＿ＩＤ＿ＦＣＨ、ＣＯＤＥ＿ＣＨＡＮ＿ＤＣＣＨ及びＱＯＦ＿ＭＡＳＫ＿ＩＤ＿ＤＣＣＨを活性化して伝送することを特徴とする請求項７記載のハンドオフ方法。
【請求項１１】
前記移動局とサービス基地局が付加チャネルを通して通信する場合、前記サービス基地局はハンドオフ指示メッセージのＣＯＤＥ＿ＣＨＡＮ＿ＳＣＨ及びＱＯＦ＿ＭＡＳＫ＿ＩＤ＿ＳＣＨを活性化して伝送することを特徴とする請求項７記載のハンドオフ方法。
【請求項１２】
移動局がサービス基地局から新たな基地局へのハンドオフ指示メッセージを受信して前記新たな基地局とのハンドオフを行う方法において、
前記ハンドオフ指示メッセージに準直交符号マスクインデックスが割り当てられたかを確認する過程と、
前記準直交符号マスクインデックスが割り当てられた場合、前記準直交符号マスクインデックスを用いて前記新たな基地局と通信する過程とからなることを特徴とするハンドオフ方法。
【発明の詳細な説明】
【０００１】
【発明の属する技術分野】
本発明は、符号分割多重接続通信システムの通信方法に係り、特に専用制御チャネルのハンドオフ方法に関する。
【０００２】
【従来の技術】
一般に、符号分割多重接続（Ｃｏｄｅ Ｄｉｖｉｓｉｏｎ Ｍｕｌｔｉｐｌｅ Ａｃｃｅｓｓ：以下、ＣＤＭＡという）通信システムは、容量増大のための方法の一つとして直交符号（Ｏｒｔｈｏｇｏｎａｌ Ｃｏｄｅ）によりチャネルを区分する方法を用いている。前記直交符号としてはウォールシュ符号（Ｗａｌｓｈ Ｃｏｄｅ）を用いることができる。前記ＣＤＭＡ通信システムにおいて前記のような直交符号によるチャネル区分の例は、例えばＩＳ−９５の順方向リンク（Ｆｏｒｗａｒｄ Ｌｉｎｋ）に適用される。
【０００３】
前記ＩＳ−９５方式の通信システムの順方向リンクにおいて直交符号によるチャネル区分方法を説明すると、共通チャネル（パイロットチャネル、ページングチャネル、同期チャネル）は予め定められた直交符号を用いて拡散し、使用者毎に割り当てられたトラヒックチャネルは使用していない直交符号を用いて拡散することによりチャネルを区分する。それから、サービス基地局は移動局に前記割り当てた直交符号インデックスを通知し、移動局は前記受信した直交符号インデックスに対する直交符号を用いて逆拡散する。
【０００４】
前記ＩＳ−９５順方向リンクは各チャネルが重畳符号（Ｃｏｎｖｏｌｕｔｉｏｎａｌ Ｃｏｄｅ）を用い、変調器はＢＰＳＫ変調（Ｂｉ−Ｐｈａｓｅ Ｓｈｉｆｔ Ｋｅｙｉｎｇ Ｍｏｄｕｌａｔｉｏｎ）を行う。かつ、帯域幅が１．２２８８ＭＨｚで、データ伝送率が９．６ＫｂｐｓのＩＳ−９５通信システムにおいて、直交符号の数は１．２２８８Ｍ／（９．６Ｋｂｐｓ×２）＝６４個である。前記条件でＩＳ−９５／ＩＳ−９５Ａの順方向リンクは直交符号を用いて６４個のチャネルを区分することができる。前記のように変調方法と最小データ伝送率が決定されると、使用できる直交符号の数が決定される。
【０００５】
前記のようなＩＳ−９５方式で、基地局はソフトハンドオフ方式によりハンドオフを行う。即ち、移動局が既存のセル領域のサービス基地局の範囲から外れて新たなセルの隣接基地局に進入する場合、既存のサービス基地局に接続した状態で新たな基地局とのリンクを予め形成した後、ハンドオフを行うソフトハンドオフ方式を用いてトラヒックチャネルに対してハンドオフを行う。
【０００６】
前記ＩＳ−９５方式で、専用チャネルはトラヒックチャネルだけを備えた。ところが、次世代ＣＤＭＡ通信システムでは、トラヒックチャネル（Ｔｒａｆｆｉｃ Ｃｈａｎｎｅｌ）及び専用制御チャネル（Ｄｅｄｉｃａｔｅｄ Ｃｏｎｔｒｏｌ Ｃｈａｎｎｅｌ）からなる専用チャネル（Ｄｅｄｉｃａｔｅｄ Ｃｈａｎｎｅｌ）とパイロットチャネル（Ｐｉｌｏｔ Ｃｈａｎｎｅｌ）、制御チャネル（Ｃｏｎｔｒｏｌ Ｃｈａｎｎｅｌ）、ページングチャネル（Ｐａｇｉｎｇ Ｃｈａｎｎｅｌ）からなる共用チャネル（Ｃｏｍｍｏｎ Ｃｈａｎｎｅｌ）を備えてチャネルの伝送容量を増大する方式を採択している。ここで、前記トラヒックチャネルは音声をサービスするための基本チャネル（Ｆｕｎｄａｍｅｎｔａｌ Ｃｈａｎｎｅｌ）とパケットデータをサービスするための付加チャネル（Ｓｕｐｐｌｅｍｅｎｔａｌ Ｃｈａｎｎｅｌ）とから構成される。
【０００７】
しかしながら、従来のＣＤＭＡ通信システムでは、基本チャネルのハンドオフのみを規定しており、次世代ＣＤＭＡ通信システムで用いられる専用制御チャネルに対してはハンドオフを行うことができない。従って、次世代ＣＤＭＡ通信で用いられる新たなチャネルに対するハンドオフ関連技術を標準化協会に提案する必要がある。特に、専用制御チャネルは韓国の特許出願番号１９９８−４４９８に詳細に説明されており、ＣＤＭＡ２０００システムの順方向及び逆方向に対する内容は韓国の特許出願番号１９９８−１１３８１に詳細に述べられている。
【０００８】
【発明が解決しようとする課題】
従って、本発明の目的は、ＣＤＭＡ通信システムのハンドオフ過程において、新たな基地局が追加される時に発生するチャネル割当過程で、追加された専用制御チャネルをさらに割り当てる装置及び方法を提供することにある。
本発明の他の目的は、ＣＤＭＡ通信システムのハンドオフ過程において、新たな基地局が追加される時に発生するチャネル割当過程で、割り当てる直交符号がない時に準直交符号を割り当てる装置及び方法を提供することにある。
【０００９】
本発明のさらに他の目的は、ＣＤＭＡ通信システムのハンドオフ過程において、移動局がトラヒックチャネルを通して受信したハンドオフ指示メッセージを分析した後、チャネル識別子（Ｃｈａｎｎｅｌ ＩＤ）に応じて前記送信チャネルに対応される受信チャネルを割り当てるチャネル割当方法を提供することにある。
本発明のさらに他の目的は、ＣＤＭＡ通信システムのハンドオフ過程において、基地局が移動局に送信するハンドオフ指示メッセージの構成方法を提供することにある。
【００１０】
【課題を解決するための手段】
前記の目的を達成するために、本発明はウォールシュ直交符号と準直交符号を生成するＣＤＭＡ通信システムのハンドオフ方法において、前記新たな基地局が使用できるウォールシュ直交符号を有していない時、前記新たな基地局が使用できる準直交符号を前記サービス中の基地局に知らせる過程と、前記サービス基地局が準直交符号をハンドオフ指示メッセージを通して前記移動局に送信して知らせる過程と、前記移動局が前記新たな基地局へのハンドオフ時に前記準直交符号を用いて前記新たな基地局と通信する過程とからなることを特徴とする。
【００１１】
【発明の実施の形態】
以下、本発明による望ましい実施形態を添付図面を参照しつつ詳細に説明する。なお、図面中、同一な構成要素及び部分には、可能な限り同一な符号及び番号を共通使用するものとする。
そして、以下の説明では、具体的な特定事項が示しているが、これに限られることなく本発明を実施できることは、当技術分野で通常の知識を有する者には自明である。また、関連する周知技術については適宜説明を省略するものとする。
【００１２】
本発明はＣＤＭＡ移動通信システムに関するものである。本発明では準直交符号（ｑｕａｓｉ−ｏｒｔｈｏｇｏｎａｌ ｃｏｄｅ）と直交符号（ｏｒｔｈｏｇｏｎａｌ ｃｏｄｅ）を用いる。ここで、前記準直交符号と直交符号とを区分するために、前記ＩＳ−９５方式の通信システムで用いる直交符号はウォールシ（Ｗａｌｓｈ）直交符号と称する。前記準直交符号の生成方法は韓国の特許出願１９９７−４６４０６号及び１９９８−２９５７６号に詳細に示されている。
以下、添付した図面に基づき、本発明の実施形態による次世代ＣＤＭＡ方式で適用された専用制御チャネルのハンドオフ手順及びＣＤＭＡ方式でのハンドオフ手順を説明する。ここで、送信装置は基地局の順方向リンク送信器であり、受信装置は移動局の順方向リンク受信器である。
【００１３】
まず、図１はハンドオフ過程で、現在サービス基地局がハンドオフに新しく参与する基地局が用いる新たな専用トラヒックチャネルを移動局に割り当てる手順を示したものである。前記専用トラヒックチャネルは基本チャネル或いは専用制御チャネルになり得る。
前記図１を参照して移動局の構成を説明すると、移動局は呼制御部（Ｃａｌｌ Ｃｏｎｔｒｏｌ）１１０、資源制御器（Ｒｅｓｏｕｒｃｅ Ｃｏｎｔｒｏｌｌｅｒ：以下、ＲＣという）１２０、物理チャネル（Ｐｈｙｓｉｃａｌ Ｃｈａｎｎｅｌ：ＰＨＹ）１３０から構成される。前記呼制御部１１０は基地局に対する呼設定と解除に関わるすべての制御を行う。資源制御器１２０は移動局の呼設定に関わるすべての物理的、論理的資源を含む。物理チャネル１３０は実際に伝送されるデータをチャネル符号化、拡散及び変調する役割を果たす。
【００１４】
図１のＢＳ部分は、サービス基地局が複数の基地局送信器（ＰＨＹ Ａ１４０，ＰＨＹ Ｂ１４１）及び基地局制御器（ＲＣ１５０，ＣＡＬＬ ＣＯＮＴＲＯＬ１６０）を含んでいると考えられるか或いは、現在サービス基地局が物理チャネル１４０，資源制御器１５０及び呼制御部１６０を有し、ハンドオフに参与する新たな基地局が物理チャネル１４１、資源制御器ＲＣ（図示せず）及び呼制御部（図示せず）をさらに有していると考えられる。本発明では後者の場合を示している。  ハンドオフに先立って、各基地局は物理チャネル（ＰＨＹ Ａ１４０，ＰＨＹ Ｂ１４１）を通して持続的にパイロット信号を伝送する。前記物理チャネル１４０はハンドオフが起こる前に移動局へのデータ送信を担当するサービス基地局の送信装置のことであり、物理チャネル１４１はハンドオフ時に追加させる新たな基地局の物理装置のことを示すと仮定した上で説明する。前記装置はデータを変調、拡散及び符号化する役割を果たす。資源制御器１５０は基地局の呼設定に関わったすべての物理的、論理的資源を貯蔵して制御する役割を果たし、呼制御部１６０は移動局の呼制御部１１０に対応して、呼設定を制御する役割を果たす。
【００１５】
ここで、前記基地局は送信器を有し、移動局は受信器を有することと仮定した上で説明しているが、各々逆方向リンクのチャネル情報を送受信するために前記基地局及び移動局はそれぞれ移動局の送信器及び基地局の受信器に対応する受信器及び送信器を備えている。
前記図１を参照して、ハンドオフ時のチャネル割当手順を説明すると、１７０段階で移動局は引続き多数の基地局から伝送するパイロットチャネルの強さを測定して、所定臨界値を超えるパイロットが発生すると、前記臨界値を超えたパイロットを送信した基地局を候補集合（Ｃａｎｄｉｄａｔｅ ｓｅｔ）に追加させ、パイロット強さ測定メッセージ（Ｐｉｌｏｔ Ｓｔｒｅｎｇｔｈ Ｍｅａｓｕｒｅｍｅｎｔ Ｍｅｓｓａｇｅ）に記録して物理チャネルＰＨＹ１３０を通して現在サービス基地局に通知する。前記パイロット強さ測定メッセージを物理チャネル部１４０を通して受信したサービス基地局の呼制御部１６０は、前記ＰＳＭＭに基づきハンドオフが必要かどうかを決定する。もし、ハンドオフが必要ならば、呼制御部１６０は、１８０段階で資源制御器１５０にハンドオフ要求メッセージを送信する。すると、資源制御器１５０はウォールシュ直交符号と物理チャネルの使用可能性を調べて、前記候補集合に新たに追加された基地局と移動局間にトラヒックチャネルをさらに割り当てられるかどうかを決定する。本発明では準直交符号の使用可能性も調べる。資源制御器１５０は前記決定の結果を呼制御部１６０に伝送する。この際、前記決定でトラヒックチャネルの割当とウォールシュ直交符号及び物理チャネルの使用が可能であると確認されると、１９０段階で物理チャネル１４１を通してハンドオフに追加された基地局の方に物理チャネルを割り当てるように資源割当命令を送信する。本発明では、前記割り当てるウォールシュ直交符号がなければ、使用できる準直交符号が存在するかを判断して、前記準直交符号が存在すると、呼制御部１６０は物理チャネル１４１を通して前記候補集合に追加された基地局に前記準直交符号を用いて物理チャネルを割り当てるように命令する。
【００１６】
サービス基地局とハンドオフに参与する新たな基地局は基地局間ネットワークを通して連結することができる。即ち、一つの基地局制御装置（ＢＳＣ）が多数の基地局装置（ＢＴＸ）を制御する場合、前記基地局制御装置は一つの呼制御部及び資源制御器を有する。従って、基地局（ＰＨＹ Ａ，ＰＨＹ Ｂ）は有線ネットワークを通して基地局制御装置と連結されている。サービス基地局がハンドオフに新たに参与する基地局にハンドオフが必要な時に前記呼制御部１６０がハンドオフを要求すると、前記新たな基地局で使用していない無線資源を前記資源制御器１５０を通して探し、前記探した無線資源を前記呼制御部１６０に知らせる。すると、呼制御部１６０は前記資源制御器から受信した無線資源を有線ネットワークを通して新たな基地局に割り当てる。この際、前記新たな基地局は前記チャネル割当に対する資源割当応答メッセージを前記資源制御器１５０に伝送する。
【００１７】
２００段階で、呼制御器１６０はハンドオフが可能になった状況と新たに追加された基地局に割り当てられた物理チャネルに対する情報をハンドオフ指示メッセージ（Ｈａｎｄｏｆｆ Ｄｉｒｅｃｔｉｏｎ Ｍｅｓｓａｇｅ：ＨＤＭ）に乗せて物理チャネル１４０を通して移動局に送信する。本発明により移動局が専用制御チャネルを通してサービス基地局と通信する場合、前記ハンドオフ指示メッセージには専用制御チャネルに対する情報が含まれる。
移動局の呼制御部１１０は前記ハンドオフ指示メッセージを物理チャネル１３０を通して受信し、２１０段階で前記チャネルのハンドオフ指示メッセージを分析して資源制御器１２０で前記チャネル復調のために必要なウォールシュ直交符号情報と物理チャネル等を割り当てて物理チャネル１３０に伝送する。すると、前記物理チャネル１３０は順方向リンクのチャネル割当と同一な資源により順方向リンクに対するチャネル受信器を割り当てる。それから、２２０段階で、移動局は新たに追加される基地局のチャネル信号を復調する用意ができたことを知らせるためのハンドオフ完了メッセージ（ＨＣＭ）をサービス基地局に送信する。
【００１８】
前記図１のハンドオフ過程を表す１８０段階，１９０段階，２１０段階は図２Ａ及び図２Ｂに示した手順通りに行われる。
ここで、前記図２Ａ及び図２Ｂの説明に先立って、本発明の実施形態に対する理解を助けるために、図５Ａ乃至図５Ｃの構造を有するハンドオフ指示メッセージのメッセージフィールドに関して説明する。
【００１９】
前記図５Ａは準直交符号を用いる符号分割多重接続通信システムにおいて専用制御チャネルと基本チャネルを割り当てる時に一般に用いるＨＤＭフィールドの例を示すものであり、図５Ｂは専用制御チャネルの割当を要求するメッセージの時に図５Ａのメッセージ構造に追加されるメッセージフィールドを示すものであり、図５Ｃは基本チャネルの割当を要求するメッセージの時に図５Ａのメッセージ構造に追加されるメッセージフィールドを示すものである。前記図５Ａ，図５Ｂ，図５Ｃのような構造を有するメッセージは図１の２００段階で用いるメッセージである。
【００２０】
図５ＡのＦＣＣＨ＿ＩＮＣＬＵＤＥＤとＤＣＣＨ＿ＩＮＣＬＵＤＥＤが“１”であると、図５ＢのＱＯＦ＿ＭＡＳＫ＿ＩＤ＿ＤＣＣＨと図５ＣのＱＯＦ＿ＭＡＳＫ＿ＩＤ＿ＦＣＨは準直交符号を用いる場合に活性化され、図５ＢのＣＯＤＥ＿ＣＨＡＮ＿ＤＣＣＨと図５ＣのＣＯＤＥ＿ＣＨＡＮ＿ＦＣＨは活性化される。
活性集合内の各基地局が準直交符号を用いてチャネルを割り当てる場合、図５ＡのＱＯＦ＿ＭＡＳＫ＿ＩＤに用いられる準直交符号のマスクを表記する。
次のフィールドは移動局の活性集合の要素を区分するために必要なものである。図５Ｂを参照すると、活性集合内の各基地局が準直交符号を用いてチャネルを割り当てる場合、ＱＯＦ＿ＭＡＳＫ＿ＩＤ＿ＤＣＣＨに用いられる準直交符号のマスクを表記する。ＰＩＬＯＴ＿ＰＮ＿ＤＣＣＨは該当基地局のパイロットＰＮオフセットインデックス（Ｐｉｌｏｔ ＰＮ ｏｆｆｓｅｔ ｉｎｄｅｘ）を表すフィールドであり、６４個のＰＮチップ単位で値が変わる。ＰＷＲ＿ＣＯＭＢ＿ＩＮＤ＿ＤＣＣＨは“１”にセットされて以前に受けたメッセージのパイロットチャネルのと同一な閉ループ電力制御副チャネル（Ｃｌｏｓｅｄ−ｌｏｏｐ ｐｏｗｅｒ ｃｏｎｔｒｏｌ ｓｕｂｃｈａｎｎｅｌ）を伝送する。ＣＯＤＥ＿ＣＨＡＮ＿ＤＣＣＨは前記記録されたパイロットを用いる基地局が使用する符号のインデックスを示すフィールドである。
【００２１】
前記図５Ａと図５Ｂに示したメッセージは専用制御チャネルを割り当てるために用いられており、前記専用制御チャネルは次世代ＣＤＭＡ通信システムで新たに定義されたチャネルであって、ＩＳ−９５システムで定義された基本チャネルとは物理的に異なる特性を有する。専用制御チャネルは伝送するデータが存在する時のみに伝送する不連続伝送モード（Ｄｉｓｃｒｅｔｅ Ｔｒａｎｓｍｉｓｓｉｏｎ Ｍｏｄｅ）を支援する。
図３は準直交符号を用いて順方向リンクを区別するＣＤＭＡ通信システムで準直交符号を発生させられる基地局送信装置の構成を示したものであり、図４はＣＤＭＡ通信システムで準直交符号により拡散されたチャネル信号を復調させられる移動局受信装置の構成を示すものである。
【００２２】
前記図３及び図４は前記図１のチャネルを割り当てるために制御メッセージのフィールドを生成させる１９０段階と、移動局でチャネル識別子（ＩＤ）を解釈及び生成する２１０段階とを説明するためのものである。
前記図３は本発明の実施形態によりウォールシュ直交符号及び準直交符号を用いて独立的にチャネル信号を拡散する帯域拡散器を備える移動通信システムの送信器構成を示すものである。
メッセージ発生器３１０は呼設定時に制御器３２０の制御下に多様なメッセージを生成する。前記メッセージはページングチャネル送信器（図示せず）又は専用制御チャネル送信器（図示せず）を通して送信される。ここで、前記ページングチャネル送信器は専用チャネルがない時に発生する多様なメッセージやデータを移動局に伝送する役割を果たす。前記専用制御チャネル送信器は専用トラヒックチャネルを制御するための多様なメッセージやデータを移動局に伝送する役割を果たす。
【００２３】
制御器３２０は基地局送信装置のすべての動作を制御する。かつ、本発明の実施形態では、呼設定時にチャネル区分のためにウォールシュ直交符号と準直交符号のうちどれを用いるかを決定し、準直交符号を用いる場合には準直交符号の情報を選んでチャネル割当及び制御メッセージの生成等を制御するモジュールである。資源形状データベース３３０は現在通信しているか或いは通信待機中の移動局との通信に必要なすべての物理的、論理的資源を有している。前記資源形状データベース３３０は本発明の実施形態によりウォールシュ直交符号又は準直交符号を割り当てるための準直交符号マスク番号及びウォールシュ直交符号インデックスを備えており、さらに、前記準直交符号マスク及びウォールシュ直交符号インデックスが使用できるかどうかに関する情報を貯蔵している。準直交符号マスク発生器３２１は前記制御器３２０から出力される準直交符号マスク番号に対応する準直交符号マスクを発生する。ウォールシュ直交符号発生器３２２はウォールシュ直交符号インデックス値に対応するウォールシュ直交符号を発生する。混合器３２３は前記準直交符号マスク発生器３２１から出力される準直交符号マスクとウォールシュ直交符号発生器３２２から出力されるウォールシュ直交符号を加えて準直交符号を生成する。
【００２４】
一方、チャネル符号化器３４０は通信チャネル上でのエラーを検出及び復旧するための一般的なチャネル符号化器である。インターリーバ（ｉｎｔｅｒｌｅａｖｅｒ）３５０はバーストエラー（ｂｕｒｓｔ ｅｒｒｏｒｓ）をランダム化させるための装置である。長符号発生器３６０は長符号マスクを用いて長符号を発生させる。加算器３７０は前記インターリーバ３５０の出力と前記長符号発生器３６０の出力を乗じて伝送しようとする情報を暗号化することにより、同一な長符号マスクを用いる受信器だけが情報を受信できるようにする。乗算器３８０は前記加算器３２３から出力される準直交符号又はウォールシュ直交符号発生器３２２から出力されるウォールシュ直交符号を加算器３７０の出力と乗じることにより、チャネルを区分する。ＲＦ変調器３９０は基地局を区別するＰＮシーケンスと前記乗算器３８０から出力されるチャネル送信信号を乗じて拡散する帯域拡散器を備え、前記チャネル送信信号を拡散及び変調してＲＦ信号を発生させる。
【００２５】
図３を参照すると、前記チャネル割当メッセージの発生後、制御器３２０は資源形状データベース３３０から現在貯蔵している資源に関する制御情報を受け、使用できるウォールシュ直交符号の数が臨界値より大きいかを判断してウォールシュ直交符号又は準直交符号の生成を制御する。もし、前記使用できるウォールシュ直交符号の数が臨界値より大きいと（即ち、使用できるウォールシュ直交符号が存在すると）、前記制御器３２０は前記資源形状データベース３３０から使用できるウォールシュ直交符号インデックスのうち一つを選んでウォールシュ直交符号発生器３２２に通知し、前記選択されたウォールシュ直交符号インデックスに関する情報を更新して、使用中であることを表示する。すると、前記ウォールシュ直交符号発生器３２２は前記選択されたインデックスに対応するウォールシュ直交符号を発生して乗算器３８０のみに送信し、加算器３２３には送信しない。この際、前記準直交符号マスク発生器３２１は入力された情報がないため、準直交符号マスクを生成しない。従って、加算器３２３は準直交符号を生成しない。
【００２６】
かつ、前記使用できるウォールシュ直交符号の数が臨界値より小さいと（即ち、使用できるウォールシュ直交符号が存在しないと）、前記制御器３２０は前記資源形状データベース３３０に準直交符号マスク番号とこれに対応するウォールシュ直交符号インデックスの使用状態を検査して、使用できる準直交符号マスクインデックス及びウォールシュ直交符号インデックスを選択した後、それぞれ準直交符号マスク発生器３２１及びウォールシュ直交符号発生器３２２に通知し、該当準直交符号マスク番号に対応するウォールシュ直交符号インデックスを使用状態に更新させる。すると、前記準直交符号マスク発生器３２１は前記準直交符号マスク番号に対応する準直交符号マスクを生成する。なお、前記ウォールシュ直交符号発生器３２２は受信したウォールシュ直交符号インデックスに対応するウォールシュ直交符号を発生して加算器３２３に送信し、乗算器３８０には送信しない。すると、前記混合器３２３は前記準直交符号マスク及びウォールシュ直交符号を混合して準直交符号を生成し、これを乗算器３８０に出力する。従って、加算器３８０は前記準直交符号を用いてチャネルを区分する。
【００２７】
前記準直交符号を用いてチャネルを区分するために、前記制御器３２０は前記資源形状データベース３２０に現在残った準直交符号マスクとウォールシュ直交符号を確認し、このうち利用できる準直交符号マスク番号及びウォールシュ直交符号インデックスを選択して準直交符号マスク発生器３２１及びウォールシュ直交符号発生器３２２に通知した後、前記使用結果を再び資源形状データベース３３０に通知して使用状態を変更させる。次に、前記準直交符号マスク発生器３２１とウォールシュ直交符号発生器３２２はそれぞれ対応する準直交符号マスクとウォールシュ直交符号を発生させて加算器３２３に出力する。ところが、準直交符号を用いる必要がない場合には、準直交符号を用いずウォールシュ直交符号だけを用いてチャネル識別子を発生させる。即ち、制御器３２０は準直交符号マスク番号を表示しなくてもウォールシュ直交符号インデックスを発生することができる。それから、準直交符号マスク発生器３２１は準直交符号マスクを生成せず、ウォールシュ直交符号発生器３２２で発生されたウォールシュ直交符号が加算器３２３を通して乗算器３８０に入力される。
【００２８】
この際、前記加算器３２３は準直交符号を用いる場合のみに、準直交符号マスク発生器３２１とウォールシュ直交符号発生器３２２の出力を受けて準直交符号を発生させ、準直交符号を用いない時には、ウォールシュ直交符号発生器３２２の出力だけを用いてチャネル拡散のための直交符号を発生させる。そして、制御器３２０は用いるようになった準直交符号マスク又はウォールシュ直交符号インデックスをメッセージ発生器に知らせ、チャネル割当制御メッセージ内のＱＯＦ＿ＭＡＳＫ＿ＩＤ＿ＤＣＣＨやＣＯＤＥ＿ＣＨＡＮ＿ＤＣＣＨに反映して、前記結果の反映されたハンドオフ指示メッセージを移動局に伝送する。
【００２９】
図４は本発明の実施形態による移動局受信装置の構成を示すものである。
図４を参照すると、まず移動局の受信アンテナを通して受信された制御メッセージはページングチャネル受信器又は専用制御チャネル受信器を通してメッセージ解釈器４１０に印加される。それから、前記メッセージ解釈器４１０は基地局から伝送したチャネル割当制御メッセージを受けてチャネル識別子に関する内容を図５ＢのＱＯＦ＿ＭＡＳＫ＿ＩＤ＿ＤＣＣＨとＣＯＤＥ＿ＣＨＡＮ＿ＤＣＣＨを通して確認した後、これを制御器３２０に知らせる。すると、前記制御器３２０は準直交符号マスク発生器３２１とウォールシュ直交符号発生器３２２にチャネル識別子に関する情報を伝え、資源形状データベース４３０の内容も更新させる。この際、前記準直交符号を用いる場合、準直交符号マスク発生器３２１とウォールシュ直交符号発生器３２２はそれぞれ準直交符号マスク及びウォールシュ直交符号を発生し、加算器３２３は前記準直交符号マスクとウォールシュ直交符号を加えて準直交符号を生成する。この際、前記ウォールシュ直交符号は乗算器４８０に印可されない。前記メッセージ解釈器４１０でチャネル割当メッセージを分析した結果、ＱＯＦ＿ＭＡＳＫ＿ＩＤ＿ＤＣＣＨが“００”である場合には、ウォールシュ符号だけが基地局で用いられたことを意味する。従って、ＣＯＤＥ＿ＣＨＡＮ＿ＤＣＣＨに記録されたウォールシュ符号インデックスはウォールシュ符号発生器３２２に送信される。かつ、ウォールシュ直交符号を用いる場合、前記ウォールシュ直交符号発生器４８０の出力が乗算器４８０に伝送され、加算器３２３からは準直交符号が生成されない。ここで、資源形状データベース４３０は主に基地局が割り当てた資源を貯蔵するために用いられる。メッセージの解釈結果、準直交符号を用いない場合には、ウォールシュ直交符号のみを用いてチャネル識別子を生成するようになる。
【００３０】
この際、基地局により割り当てられたチャネルにデータやメッセージが伝送されると、受信された信号はＲＦ復調器４９０を通って乗算器４８０に入力される。ＲＦ復調器４９０はＰＮシーケンス発生器を備え、受信される信号と前記ＰＮシーケンスを乗じて逆拡散させることにより該当基地局の信号を検出する。乗算器４８０は前記ＲＦ復調器４９０の出力と前記準直交符号或いはウォールシュ直交符号を乗じて該当チャネルの信号を検出する。加算器４７０は長符号と前記加算器４８０の出力を加えて逆暗号化を行う。ここで、長符号発生器４６０は選択された長符号マスクを用いて前記長符号を発生させる装置である。加算器４７０の出力はディインターリーバ（Ｄｅｉｎｔｅｒｌｅａｖｅｒ）４５０でディインターリービングされる。チャネル復号化器４４０は前記ディインターリービングされた信号に対してチャネル復号化を行う。
【００３１】
図２Ａは本発明による順方向リンクの直交符号チャネルを区別するＣＤＭＡ通信システムで基地局が行うハンドオフの手順を示した流れ図であり、図２Ｂは本発明による順方向リンクの直交符号チャネルを区別するＣＤＭＡ通信システムで移動局が行うハンドオフの手順を示した流れ図である。
前記図２Ａを参照して本発明による基地局におけるハンドオフの手順を説明すると、まずパイロット強さ測定メッセージ（ＰＳＭＭ）が発生すると、現在移動局と接続しているサービス基地局の制御器３２０は２１０段階で前記パイロット強さ測定メッセージのパイロットのうち新たに追加されたパイロットがあるかを判断して、移動局が用いるすべてのチャネル、即ち専用制御チャネルを含むすべてのチャネルに対してハンドオフさせるための制御を行う。前記２１０段階の判断過程でＰＳＭＭメッセージのうち新たに追加されたパイロットがあれば、サービス基地局の制御器３２０は図１の１９０段階で新たなハンドオフ対象基地局に資源割当命令を伝送する。前記資源割当命令には移動局が用いているチャネルに対する情報が含まれる。
【００３２】
この際、新たな基地局の制御器３２０は２２０段階に進んで資源形状データベース３３０を検索して、基地局に使用できる物理資源があるかを検査する。前記検査は残っているウォールシュ直交符号の数と臨界値とを比較し、使用できるウォールシュ直交符号が存在するかどうかを検査する。前記２２０段階で資源形状データベース３３０を検索した結果、使用できる物理資源がなければ、新たな基地局の制御器３２０は２４１段階に進んで前記資源形状データベース３３０を調べて、使用できる準直交符号があるかを検査する。もし使用できる準直交符号があれば、新たな基地局の制御器３２０は２５１段階に進んで使用できる準直交符号がなければ、ハンドオフ実施不可能の判定を下し、使用できる物理チャネルがないことをサービス基地局に知らせる。前記２５１段階に進んだ新たな名基地局の制御器３２０は使用できる準直交符号を発生するための準直交符号マスクインデックスとウォールシュ直交符号インデックスをそれぞれ準直交符号マスク発生器３２１とウォールシュ直交符号発生器３２２に出力する。この際、準直交符号マスク発生器３２１は該当準直交符号マスクを生成して出力し、ウォールシュ直交符号発生器３２２は前記インデックスに対するウォールシュ直交符号を生成して出力する。加算器３２３は前記２６１段階でウォールシュ直交符号と準直交符号マスクを加え、準直交符号を生成して出力する。
【００３３】
前記新たな基地局の制御器３２０は指定された前記ウォールシュ直交符号インデックスと準直交符号マスクインデックスと含む資源割当応答メッセージをサービス基地局に伝送する。前記資源割当応答メッセージを受信したサービス基地局の制御器３２０は２７０段階に進み、メッセージ発生器３１０を制御して図５ＢのＣＯＤＥ＿ＣＨＡＮ＿ＦＣＨ或いは図５ＣのＣＯＤＥ＿ＣＨＡＮ＿ＤＣＣＨを生成する。前記ＣＯＤＥ＿ＣＨＡＮ＿ＦＣＨ或いはＣＯＤＥ＿ＣＨＡＮ＿ＤＣＣＨの活性化は移動局が用いているチャネルに応じて決定される。前記移動局が用いるチャネルはＰＳＭＭメッセージを検査することにより分かる。前記チャネルに応じて活性化されるＣＨＡＮ＿ＦＩＥＬＤが生成されると、サービス基地局の制御器３２０は準直交マスクフィールドを指定してハンドオフ指示メッセージを生成し、２８０段階で移動局に伝送する。前記準直交マスクフィールドは前記活性化されるＣＯＤＥ＿ＣＨＡＮに応じて図５ＢのＱＯＦ＿ＭＡＳＫ＿ＩＤ＿ＤＣＣＨ或いは図５ＣのＱＯＦ＿ＭＡＳＫ＿ＩＤ＿ＦＣＨになり得る。
【００３４】
前記２２０段階で使用できる物理資源（ウォールシュ直交符号）が残っていると、新たな基地局の制御器３２０は２５０段階で使用できるウォールシュ直交符号を指定し、２６０段階でウォールシュ直交符号発生器３２２を制御して該当ウォールシュ直交符号を生成させる。前記生成されたウォールシュ直交符号は乗算器３８０に入力され、送信される信号をチャネル拡散して出力する。前記新たな基地局の制御器３２０は前記ウォールシュ直交符号の生成と同時に前記ウォールシュ直交符号インデックスを含む資源割当応答メッセージをサービス基地局に伝送する。
【００３５】
前記資源割当応答メッセージを受信したサービス基地局の制御器３２０は２７０段階に進み、指定されたウォールシュ直交符号インデックスをＣＯＤＥ＿ＣＨＡＮ＿ＦＣＨ或いはＣＯＤＥ＿ＣＨＡＮ＿ＤＣＣＨに指定し、２８０段階で前記ＣＯＤＥ＿ＣＨＡＮ＿ＦＣＨ或いはＣＯＤＥ＿ＣＨＡＮ＿ＤＣＣＨが活性化されたハンドオフ指示メッセージを移動局に伝送する。
前記のように準直交符号が割り当てられる場合には、ＣＯＤＥ＿ＣＨＡＮとＱＯＦ＿ＭＡＳＫ＿ＩＤがすべて活性化され、ウォールシュ直交符号が割り当てられる場合にはＣＯＤＥ＿ＣＨＡＮだけが活性化される。
【００３６】
図２Ｂは前記図２Ａに示した基地局のハンドオフメッセージを受信する移動局のハンドオフ過程を示した制御流れ図である。
前記図２Ｂを参照すると、移動局の制御器３２０は２１２段階でメッセージ解釈器４１０を通して基地局からチャネル識別子を含むハンドオフ指示メッセージが受信されるかどうかを検査する。この際、前記ハンドオフ指示メッセージが受信されると、前記制御器３２０は２２２段階に進み、前記ハンドオフ指示メッセージが受信されないと、２９２段階に進んで前記移動局は引続きハンドオフ指示メッセージの受信を待機する。
【００３７】
前記制御器３２０は２２２段階で前記メッセージ解釈器４１０を通して受信されたハンドオフ指示メッセージのＱＯＦ＿ＭＡＳＫ＿ＩＤ＿ＦＣＨ或いはＱＯＦ＿ＭＡＳＫ＿ＩＤ＿ＤＣＣＨを分析して、前記ハンドオフ指示メッセージの情報のうち準直交符号マスクが用いられたかどうかをまず確認する。前記ハンドオフ指示メッセージの分析結果、準直交符号を用いる場合、前記制御器３２０は２３２段階に進んで前記ハンドオフ指示メッセージで指定された準直交符号マスク番号とウォールシュ直交符号インデックスを読出する。その後、前記制御器３２０は２４２段階で前記準直交符号マスクインデックスに対応する準直交符号マスクを生成し、ウォールシュ直交符号インデックスに対応するウォールシュ直交符号を生成する。それから、２５２段階で前記生成された準直交符号マスクとウォールシュ直交符号を混合して準直交符号を生成する。
【００３８】
ところが、前記２２２段階でハンドオフ指示メッセージにＣＯＤＥ＿ＣＨＡＮ＿ＦＣＨ或いはＣＯＤＥ＿ＣＨＡＮ＿ＤＣＣＨだけが活性化されていると、前記制御器３２０は２３３段階に進み、ＣＯＤＥ＿ＣＨＡＮ＿ＦＣＨ或いはＣＯＤＥ＿ＣＨＡＮ＿ＤＣＣＨのウォールシュ直交符号のインデックスだけをメッセージ解釈器４１０により解釈し、２４３段階でウォールシュ直交符号インデックスに対応するウォールシュ直交符号を生成する。
【００３９】
前記２５２段階或いは２４３段階で準直交符号或いはウォールシュ直交符号が生成されると、制御器３２０は２６２段階に進み、指定された順方向リンクチャネルに対する復調器を割り当て、２７２段階で基地局にハンドオフ完了メッセージを伝送して順方向リンクチャネルを受信する用意ができたことを基地局に知らせる。この際、前記ハンドオフ完了メッセージが伝送されるチャネルは逆方向リンクのチャネル送信器であって、アクセスチャネル或いは専用制御チャネルを通して送信される。移動局は前記ハンドオフ完了メッセージを送信した後、前記サービス基地局とのリンクを解除し、パイロットが新たに追加された基地局にハンドオフして前記設定されたチャネルでリンクを形成する。
【００４０】
かつ、前記図２Ａ及び図２Ｂに示された過程で、基地局はチャネルの割当時に優先順位が高いチャネルであれば、準直交符号を用いる条件下でもウォールシュ直交符号を用いてチャネルを割り当てることができる。
前記のような優先順位を決定する方法を見てみると、第一、伝送されるデータの特性に応じて高いＱｏＳ（Ｑｕａｌｉｔｙ ｏｆ Ｓｅｒｖｉｃｅ）値を要求する場合には準直交符号の使用を制限することができる。第二、使用者の等級を分けて、高等級の使用者にはウォールシュ直交符号を使用できるように割り当てる。第三、低いエラー発生率で重要な制御情報が伝送される基本チャネル或いは制御チャネルに高い優先順位を与える方法である。前記チャネル優先順位の決定方法は必要に応じて適宜に調節できる。
【００４１】
本発明の適宜な実施形態によりハンドオフ時の基本チャネル及び専用制御チャネルに対する準直交符号の割当のみに対して説明したが、付加チャネルの場合にも同じく適用することができる。前記付加チャネルの場合には、前記ハンドオフ指示メッセージにＣＯＤＥ＿ＣＨＡＮ＿ＳＣＨ及びＱＯＦ＿ＭＡＳＫ＿ＩＤ＿ＳＣＨをさらに追加する。
【００４２】
【発明の効果】
前述の如く、本発明によると、ウォールシュ直交符号はもちろん準直交符号を用いてチャネルを割り当てることができるので、次世代ＣＤＭＡ通信システムで基本チャネル或いは専用制御チャネルにも直交符号を割り当てられる利点がある。
本発明の更に他の利点は、次世代ＣＤＭＡ通信システムで直交符号を基本チャネルはもちろん新たに追加された専用制御チャネルにも割り当てることができて、専用チャネルに対してもハンドオフを行えることである。
【図面の簡単な説明】
【図１】本発明によるＣＤＭＡ通信システムにおいて、基地局と移動局間及び基地局と移動局の各内部で行われるハンドオフのためのチャネル割当の手順を示す図である。
【図２Ａ】本発明によるＣＤＭＡ通信システムにおいて、基地局が行うハンドオフの手順を示す流れ図である。
【図２Ｂ】本発明によるＣＤＭＡ通信システムにおいて、移動局が行うハンドオフの手順を示す流れ図である。
【図３】本発明によるＣＤＭＡ通信システムにおいて、基地局の伝送装置を示す図である。
【図４】本発明によるＣＤＭＡ通信システムにおいて、移動局の受信装置を示す図である。
【図５Ａ】本発明によるＣＤＭＡ通信システムにおいて、ハンドオフ時に専用制御チャネル及び基本チャネルを同時にハンドオフさせるためのメッセージフォーマットを示す図である。
【図５Ｂ】本発明によるＣＤＭＡ通信システムにおいて、ハンドオフ時に専用制御チャネル及び基本チャネルを同時にハンドオフさせるためのメッセージフォーマットを示す図である。
【図５Ｃ】本発明によるＣＤＭＡ通信システムにおいて、ハンドオフ時に専用制御チャネル及び基本チャネルを同時にハンドオフさせるためのメッセージフォーマットを示す図である。
【符号の説明】
１１０、１６０ 呼制御部 １２０、１５０ 資源制御器 １３０、１４０、１４１ 物理チャネル ３１０ メッセージ発生器 ３２０ 制御器 ３２１ 準直交符号マスク発生器 ３２２ ウォールシュ直交符号発生器 ３２３ 混合器 ３３０、４３０ 資源形状データベース ３４０ チャネル符号化器 ３５０ インターリーバ ３６０、４６０ 長符号発生器 ３７０、４７０ 加算器 ３８０、４８０ 乗算器 ３９０ ＲＦ変調器 ４１０ メッセージ解釈器 ４４０ チャネル復号化器 ４５０ ディインターリーバ ４９０ ＲＦ復調器
【図１】
0003606810.tif 000002
【図２Ａ】
0003606810.tif 000003
【図２Ｂ】
0003606810.tif 000004
【図３】
0003606810.tif 000005
【図４】
0003606810.tif 000006
【図５Ａ】
0003606810.tif 000007
【図５Ｂ】
0003606810.tif 000008
【図５Ｃ】
0003606810.tif 000009